(57)【特許請求の範囲】
【請求項１】
自動遮断膨張弁を備え加圧空気で膨らませて使用するチーム競技で用いられるボール、または犬がパンクさせることなく口にくわえて取ってくることができるように予め膨らませたタイプのボールであって、犬の口にくわえれるよう構成された少なくとも１つのグリップ(1)を備えたもの、を用いて犬とボール遊びをすることを可能にする器具であって、
上記ボールは、突出するグリップ(1)を有しない中間周面を少なくとも１つ、ボール中心に関して少なくとも９０°の角度範囲に渡って有することで、ボールが少なくとも一方向に回転することを許容しており、
上記グリップ(1)は、縦軸に沿う長形の形状で、円筒、円錐、バー、ロッドなどの形状であるか、あるいは、例えば骨やソーセージなどの物品の形状に類似しており、
上記グリップ(1)の基部(1b)は、当該グリップ(1)の直立状態を維持できるよう剛性あるいは半剛性であるとともに、その周囲のボール領域が可動接合域を形成しており、
上記グリップの基部(1b)に横方向の力が作用したときに当該グリップは倒れるが、横方向の力が作用しなくなると、グリップ(1)は直立状態に戻って、ボール上におけるその形成領域を越えて目立つように突出し、犬はそれを口でくわえることが容易となり、犬がボールの外側カバー(3)に直接噛みついてボールをパンクさせるのを防止できることを特徴とする、器具。
【請求項２】
上記グリップの基部(1b)の周囲の上記可動接合域は、弾性的な可動領域であって、当該基部(1b)に対する横方向の力が作用しなくなったとき、グリップ(1)が直立状態に戻ることを特徴とする、請求項１記載の器具。
【請求項３】
上記直立状態においては、グリップの基部(1b)の長手軸はボールの中心を通過することを特徴とする、請求項２記載の器具。
【請求項４】
上記グリップの基部(1b)は、開口を有する又は有していない包装材又は包装エレメント(2)に固定的かつ強固に取りつけられており、
該包装材又は包装エレメントは、少なくとも犬がボールを用いている間はボール表面の周囲に密接に巻き付くように、プラスチック、合成材料よりなるコード、天然材料よりなるコード、紐、合成材料よりなるストラップ、天然材料よりなるストラップなどの強固な材料よりなり、
グリップ(1)が直立状態にあるとき、上記可動接合域は、包装エレメント(2)とグリップ基部(1b)近傍のボール領域との間の位置にあることを特徴とする、請求項１〜３のいずれかに記載の器具。
【請求項５】
上記包装材又は包装エレメント(2)は、少なくとも３つの異なる平面内に位置する少なくとも３つの円等の境界線を描くように、ボール周囲に巻き付けられたコード又はストラップであって、
当該コード又はストラップは、ボールを強固なネットに収めるべく互いに連結されており、ボールの空気を抜くことによって、当該ネットからボールを取り出したり再度入れたりできることを特徴とする、請求項４記載の器具。
【請求項６】
上記グリップの基部(1b)が上記包装材又は包装エレメント(2)を通過し、これにより、グリップ基部(1b)の一部分が、上記包装材又は包装エレメント(2)と上記ボールの外側カバー(3)との間に挿入された状態で、グリップの基部(1b)が包装材又は包装エレメント(2)に取りつけられていることを特徴とする、請求項４記載の器具。
【請求項７】
上記グリップの基部(1b)が上記包装材又は包装エレメント(2)のボール表面に沿うベルト状部分の周囲に配置され、これにより、該グリップの基部(1b)の一部分が上記包装材又は包装エレメント(2)と上記ボールの外側カバー(3)との間に挿入された状態で、グリップの基部(1b)が包装材又は包装エレメント(2)に取りつけられていることを特徴とする、請求項４記載の器具。
【請求項８】
上記グリップの基部(1b)は、ボールの外側カバー(3)領域に対して、接着や縫い付けによって、あるいは成形プラスチックよりなる１つの同一のピースとすることによって、固定的かつ強固に直接取り付けられており、
グリップ(1)が直立状態にあるとき、上記可動接合域は、グリップ基部(1b)とその近傍のボール領域との間の位置にあることを特徴とする、請求項１〜３のいずれかに記載の器具。
【請求項９】
上記グリップの基部(1b)は、内側ブラダ(5)とボールの外側カバー(3)との間に位置するブロック、ストリップ、ネジのヘッド部等の内側エレメント(4)に対して固定的かつ強固に取りつけられており、
ボールの外側カバーは、少なくとも１つの開口部を有しており、挿入された内側エレメント(4)とグリップ基部(1b)とが接続されるのを許容しており、
グリップ(1)が直立状態にあるとき、上記可動接合域は、挿入された内側エレメント(4)とその近傍のボール領域との間の位置にあることを特徴とする、請求項１〜３のいずれかに記載の器具。
【請求項１０】
上記グリップの基部(1b)は、ボールの内側ブラダ(5)領域に対して固定的かつ強固に取り付けられており、
外側カバー(3)は、少なくとも１つの開口部を有しており、内側ブラダ(5)とグリップ基部(1b)とが接続されるのを許容しており、
グリップ(1)が直立状態にあるとき、上記可動接合域は、グリップ基部(1b)とその近傍のボール領域との間の位置にあることを特徴とする、請求項１〜３のいずれかに記載の器具。
【請求項１１】
上記グリップの基部(1b)は、上記包装エレメント(2)に取り付けられていることを特徴とする、請求項４〜７のいずれかに記載の器具。
【請求項１２】
上記グリップの基部(1b)は、上記内側エレメント(4)に取り付けられていることを特徴とする、請求項９記載の器具。
【請求項１３】
上記グリップの基部(1b)は、上記包装エレメント(2)の延長部分であることを特徴とする、請求項４〜７のいずれかに記載の器具。
【請求項１４】
上記グリップの基部(1b)は、上記内側エレメント(4)の延長部分であることを特徴とする、請求項９記載の器具。
【請求項１５】
上記グリップ(1)は、犬の口に損傷を与えることなく、十分な強度を有するべく、プラスチック、ゴム、コード、織物などからなることを特徴とする、請求項１〜１４のいずれかに記載の器具。
【請求項１６】
上記グリップ(1)を少なくとも２つ備え、ボールが移動する際にバランスを崩すことがないように、ボール直径方向に対向するように配置されており、ボールは直線移動可能であることを特徴とする、請求項１〜１５のいずれかに記載の器具。
【請求項１７】
上記グリップはその全体が強固であることを特徴とする、請求項１〜１６のいずれかに記載の器具。
【請求項１８】
上記グリップ(1)は、少なくとも１つの金属ファスナによって、上記包装エレメント(2)に接続された硬質プラスチックのソーセージ状部材であることを特徴とする、請求項４〜７のいずれかに記載の器具。
【請求項１９】
上記ボールは球形状であることを特徴とする、請求項１〜１８のいずれかに記載の器具。
【請求項２０】
上記ボールの直径が１５〜４０ｃｍである、請求項１〜１９のいずれかに記載の器具。
【請求項２１】
請求項１〜２０のいずれかに記載の器具のボールとしての使用。
【発明の詳細な説明】
【０００１】
【発明の属する技術分野】
本発明は、犬用の物品の分野に関する。
【０００２】
【従来の技術】
犬とボール遊びをするのに、大型のボールを使う方が小型のボールを使うよりはるかに楽しいが、現在のところ、犬用の大型のボールはない。現在用いられている大型のボール（サッカー、ハンドボール、バスケットボール、バレーボールなど）のいずれにもグリップがないので、犬がボールを持ち上げるべく口でつかもうとすることで、非常に早くボールをパンクさせてしまう。しかし、ホースボール(horse ball)競技用に、空気を抜いた大型のボールを網目から入れ、内側で再度空気を入れるような、６つのハンドルを有するネットがある。この６つの長くて幅広の皮革のハンドルはボールを完全に覆っており、この競技に求められることだが、乗り手の便宜のため、ボールの回転や弾みを完全に防止している。この長くて幅広のハンドルは人手で把持されるべく構成されており、ボールを空中に蹴り上げたり、犬が口でくわえたりするのには全く適しておらず、危険であることは自明である。さらに、このボールが全く回転したり弾んだりしないということは、犬とボール遊びをすることに関する関心を完全に除外してしまう。ある種の大型のボールは、２つの細いハンドルを有するネットに入って販売されており、運搬が容易である。ハンドルは放射状に配置されていないので、ボールの外側カバーから目立つ程に自立したり、突出したり、出っ張ったりし得ない。実際に、ハンドルはむしろ大型のボールの外側カバーに対して平坦に載置される傾向がある。その結果、犬はかぶりつくことができず、ボールを持ち上げるべく口でくわえようとして、非常に早くパンクさせてしまう。さらに、米国特許第5,265,559号明細書は、円弧の形状で大型のボールの一部に取り付けられたグリップに連接される、柔軟なグリップを備えた犬用玩具を開示している。この２つのグリップは細長くなく、剛性を持たず、ボールの一部に固定的に取り付けられた基部を有しておらず、ボールに対する弾性的な接合を、平衡を保つ放射状の位置に有していないので、空気を満たすボールには適していない。犬は容易にそのグリップをくわえることができないため、大型のボールの外側カバーを直接くわえようとして、非常に早くパンクさせてしまう。また、これらのグリップの形状及び位置は、空気で膨らませた大型のボールの適切な回転や弾みを阻害する。さらに、米国特許第4,321,888号は、細いコードで一体に接合された２つの半球型のパーツを備えた、小型犬用のより小さいボールを開示しており、このコードは、直径方向に対向する２つのホールから現出しており、１つのグリップを形成すべく数回にわたって一体に結ばれている。このコードは剛性を有しておらず、この小型のボールから現出するその箇所において曲がっており、ボールの表面に載置されている。空気で膨らませた大型のボールに合致する類似のコードは、犬の口ではくわえるのが容易でない。その結果、犬は空気で膨らませた大型のボールの外側カバーに直接かぶりつこうとして、非常に早くパンクさせてしまう。
【０００３】
【発明の開示】
本発明は、上記問題の解決法を提供する。
【０００４】
この器具は、自動遮断膨張弁を備え加圧空気で膨らませて使用するチーム競技で用いられるボール、または犬がパンクさせることなく口にくわえて取ってくることができるように予め膨らませたタイプのボールであって、犬の口にくわえれるよう構成された少なくとも１つのグリップを備えたもの、を用いて犬とボール遊びをすることを可能にする器具であって、上記ボールは、突出するグリップを有しない中間周面を少なくとも１つ、ボール中心に関して少なくとも９０°の角度範囲に渡って有することで、ボールが少なくとも一方向に回転することを許容しており、上記グリップは、縦軸に沿う長形の形状で、円筒、円錐、バー、ロッドなどの形状であるか、あるいは、例えば骨やソーセージなどの物品の形状に類似しており、上記グリップにおいて上記ボールの中央部に最も近接している部分は、その直立状態を維持できるよう剛性あるいは半剛性であって、上記グリップの基部は近傍のボール領域と共に可動接合部を形成しており、上記グリップの基部に横方向の力が作用したとき、ボールの良好な転がりおよびバウンドを許容すべく、グリップの長手軸が実質的にボールの中心を通る平衡状態に復帰し、これにより、グリップはボール上におけるその形成領域を越えて目立つように突出し、犬はそれを口でくわえることが容易となり、犬がボールの外側カバーに直接噛みついてボールをパンクさせるのを防止できることを特徴とする。
【０００５】
この器具は、上記グリップの基部が、開口を有する又は有していない包装材又は包装エレメントに固定的かつ強固に取りつけられており、該包装材又は包装エレメントは、少なくとも犬がボールを用いている間はボール表面の周囲に密接に巻き付くように、プラスチック、合成材料よりなるコード、天然材料よりなるコード、紐、ケブラー（商標名）、合成材料よりなるストラップ、天然材料よりなるストラップなどの強固な材料よりなり、平衡位置にある上記の弾性的な可動接合部は、ボール領域が弾性変形することで、包装エレメントとグリップ基部近傍のボール領域との間の位置にあることを特徴とする。
【０００６】
この器具は、上記包装材又は包装エレメントが、少なくとも３つの異なる平面内に位置する少なくとも３つの円等の境界線を描くように、ボール周囲に巻き付けられたコード又はストラップであって、当該コード又はストラップは、ボールを強固なネットに収めるべく互いに連結されており、ボールの空気を抜くことによって、当該ネットからボールを取り出したり再度入れたりできることを特徴とする。
【０００７】
この器具は、上記グリップの基部が上記包装材又は包装エレメントを通過しており、これにより、グリップ基部の一部分が、上記包装材又は包装エレメントと上記ボールの外側カバーとの間に挿入されることを特徴とする。
【０００８】
この器具は、上記グリップの基部が、上記包装材又は包装エレメントの一部分の周囲に配置されており、これにより、該グリップの基部の一部分が上記包装材又は包装エレメントと上記ボールの外側カバーとの間に挿入されることを特徴とする。
【０００９】
この器具は、上記グリップの基部が、ボールの外側カバー領域に対して、例えば接着や縫い付けによって、あるいは成形プラスチックよりなる１つの同一のピースとすることによって、固定的かつ強固に直接取り付けられており、平衡位置にある上記の弾性的な可動接合部は、ボール領域の弾性変形により、グリップ基部とその近傍のボール領域との間の位置にあることを特徴とする。
【００１０】
この器具は、上記グリップの基部が、内側ブラダとボールの外側カバーとの間に位置するブロック、ストリップ、ネジのヘッド部等の内側エレメントに対して固定的かつ強固に取りつけられており、ボールの外側カバーは、少なくとも１つの開口部を有しており、挿入された内側エレメントとグリップ基部とが接続されるのを許容しており、平衡位置にある上記の弾性的な可動接合部は、ボール領域の弾性変形により、挿入された内側エレメントとその近傍のボール領域との間の位置にあることを特徴とする。
【００１１】
この器具は、上記グリップの基部が、ボールの内側ブラダ領域に対して固定的かつ強固に取り付けられており、外側カバーは、少なくとも１つの開口部を有しており、内側ブラダとグリップ基部とが接続されるのを許容しており、平衡位置にある上記の弾性的な可動接合部は、ボール領域の弾性変形により、グリップ基部とその近傍のボール領域との間の位置にあることを特徴とする。
【００１２】
この器具は、上記グリップの基部が、グリップが接続された上記エレメントに取り付けられていることを特徴とする。
【００１３】
この器具は、上記グリップの基部が、グリップが接続されたエレメントの延長部分であることを特徴とする。
【００１４】
この器具は、上記グリップが、犬の口に損傷を与えることなく、十分な強度を有するべく、プラスチック、ゴム、コード、織物などからなることを特徴とする。
【００１５】
この器具は、上記グリップが、少なくとも２つある場合には、ボールが移動する際にバランスを崩すことがないように、ボール直径方向に対向するように配置されており、ボールは直線移動可能であることを特徴とする。
【００１６】
この器具は、上記グリップがその全体が強固であることを特徴とする。
【００１７】
この器具は、上記グリップが、少なくとも１つの金属ファスナによって、上記包装エレメントに接続された硬質プラスチックのソーセージ状部材であることを特徴とする。
【００１８】
この器具は、上記ボールが球形状であることを特徴とする。
【００１９】
【発明の実施の形態】
この器具により、少なくとも１つのグリップ(1)、少なくとも１つの接続エレメント(2)(4)、外側カバー(3)、及びある実施形態においてはボールの内側ブラダ(5)を備えた大型のボールを用いて、犬とボール遊びをすることができる。
【００２０】
大型のボールを用いて犬とボール遊びをするのは、ボールを投げることができたり、ボールが十分に転がったり弾んだりする場合にのみ面白い。これは、サッカー、バスケットボール、バレーボール、あるいはハンドボールなどのチームスポーツにおいて用いられる球形タイプの大型のボールが、この実施形態に非常に適していることの理由である。ここでいうボールとは球形タイプのものであり、特にラグビーやアメリカンフットボールにおいて用いられる楕円形のものではない。子供を乗せて弾ませるスペースホッパー(spacehopper)は、この実施形態には全く適さない。というのは、かなり嵩高くて、例え大型犬であっても犬が投げたり取って来たりすることができないからである。大型のボールとは、直径１５ｃｍから４０ｃｍの間のものであれば全く申し分ない。大型のボールの外側カバー(3)は、犬とボール遊びをするのに用いられるが、ボールが空気で膨らまされた際にボールが固くなり、犬がボールを口にくわえないように、伸長性を持たないようにすべきである。ボールを弾ませるためには、これは本実施形態の利点の一つであるが、ボールが適切に回転したり弾んだりし得るように、ボールが加圧された空気で膨らまされていなければならない。ボールを固くするには、内部気圧は非常に高くしなければならないので、そのような結果は、自動遮断膨張弁を用いることによって、あるいは予め膨らまされたタイプのボールを用いることによって得られる。一方、口で膨らませるための弁やキャップを備えたビーチボールは、内側の気圧が不十分なため、剛性に欠ける。結果として、犬はこのようなボールを口にくわえ、非常に早くパンクさせてしまうだろう。
【００２１】
犬が大型のボールの外側カバー(3)をくわえてパンクさせないように、グリップ(1)は常に、犬が口でくわえやすいようにしておかねばならない。そうするためには、グリップ(1)は目立つようにボールから直立していることが必要である。このために、グリップ(1)は常に、少なくともその基部 (1b)に関する限り、即ち少なくともボールの外側カバー(3)に最も近接したグリップ(1)の部分に関する限り、ボールの中央部に対して放射軸に沿って配置されるべきである。このために、少なくともグリップの基部(1b)は、湾曲したり、曲がったり、ボールの外側カバー(3)の外面に対して平坦に載置されることがないよう、剛性を増すべきである。このためには、グリップの基部(1b)は、ボールに対して固定的かつ確実に安定して保持されていて、ボールの中央部に対する放射状の配置の維持を助け、加えられる外部応力に抗するようにすべきである。しかし、グリップの基部(1b)が剛性で、ボールの中央部に対して固定的に放射状に配置されていることによって、このボールの運動は遅くなる（障害物への対処、空気中の摩擦力など）。このため、グリップの基部(1b)は、ボールに対して、例えば障害物に行き当たった際に摩擦力を制限すべく、空中で曲がることができるように接合されることが必要である。しかし、グリップの基部(1b)の縦軸は、犬が常に口でグリップ(1)を容易にくわえることができるよう、加わっている外部応力がなくなると直ぐに、大型のボールの中央部に対して放射状である軸に沿って規則正しく元に戻らなければならない。このために、加圧された空気で膨らまされた大型のボール、より詳しくはグリップ(1)に近接して位置するボール領域は、弾性変形の特性を有する。例示として、グリップをゴムのパイプで作り、基部にネジを入れて剛性を増すとよい。グリップ(1)全体を剛性にしてもよい。例示として、剛性のグリップ(1)は、一体に撚り合された紐である、撚り合わされた４本のストランドを備えるとよい。同様に、グリップ(1)は硬質のプラスチックからなるソーセージ状部材であってもよい。反対に、オリフィスを介して大型のボールの外側カバー(3)から現出する細いコードを備えたグリップ(1)は、ボールの外側カバー(3)の外面から上方に向かって突出的かつ永続的に直立することなく、引力の作用で変形する。同様に、チェーンで形成されたグリップ(1)の場合、チェーンの環は互いに対して可動であるため、同様の結果に拘らわされる。
【００２２】
ボールが少なくとも一つの方向に対して回転可能であるためには、これは本実施形態の利点だが、いずれのグリップ(1)も、長さ３６０°、幅９０°の中央円形領域において、ボールの外側カバー(3)を越えて突出してはならない。
【００２３】
グリップ(1)の形状は、例えば円筒、骨、ソーセージ、あるいは円錐を表した細長い形状とすべきである。このような細長い形状のグリップは、犬が口にくわえるのに最適である。この場合、グリップ(1)は犬の口の犬歯の奥、臼歯の間に、横向きで入り込む。ボールは犬の口の横からぶら下がる（この場合犬の視界は見通しが聞き、鼻を地面にこすりつける邪魔にならない）。このグリップの寸法は、顎の左半分と右半分の両方に同時に入り込むことができるよう、犬の口の幅に概ね一致させる必要がある。牽引力が働いた状態において、グリップ(1)は、犬の歯の間を横方向にスライドするだけで、歯に損傷を与えることがない。反対に、リング形のグリップは犬の歯にとって危険である。これは、リングが犬の門歯の裏側を通るので、グリップに加えられる牽引力が歯や下顎を動かしてしまう虞があるためである。さらに、細長いグリップは、ボールの回転や弾みを非常にわずかにしか妨げない。実際に、この器具の最適な実施形態は、大型のボールの外縁上に２つの細長いグリップを備えており、これらのグリップは、直径方向に対向して、ボールの中央部に対して放射状軸をなすように配置されており、これらグリップを回転軸になぞらえることが可能である。その結果、ボールは移動の際に平衡を保ち、直線上を移動する。反対に、もし２つのグリップが、スペースホッパーにしばしばあるように互いに近接して配置されていたり、グリップが一つしかなかったりすると、大型のボールは平衡を保つことができず、湾曲した線上を移動することになる。その結果、大型のボールはあまり長い距離を移動せず、ボールを投げた人物は、正確な目標まで届かせることができないし、グリップが地面に接してしまうので、犬がグリップをくわえることが困難となる。さらに、長過ぎる（１０ｃｍ以上の）グリップ(1)は、ボールの回転や弾みを阻害するだけで、犬のくわえ易さを向上させるものではない。これらと同様の理由で、グリップの基部(1b)は、小さい独特の断面を有していなければならない。ハンドル型のグリップは、基部に２つの断面を有しており、それがボールの運動を妨げる。理想的なグリップ(1)は、長さが８〜１０ｃｍ、直径が２ｃｍの円筒状のセグメントである。一方、高さ３ｃｍで、５ｃｍ四方の基部（ボールの外側カバーの外面に最も近接しているグリップの一部）を有するピラミッド形のグリップは、決して勧められるものではない。同様に、ボールは手で投げたり足で蹴ったりされるので、足でつかめるようなハンドルグリップは適さない。グリップ(1)は犬の口で強固にくわえられる程度の大きさを有していなければならないが、ボールの運動を妨げないようにあまり大きくし過ぎてはならないし、その材料は、犬の歯に悪影響を与えないものや、犬の牙歯に対する耐久性を持つものでなければならない。例示として、直径の大きい（８ｍｍ）長さ約４０ｃｍの２本の紐を一体に撚り合わせて、概ね円筒形のグリップ(1)を形成してもよく、その端部はほぐれないように加熱により溶融されている。大型のボールの外縁部に対向して配置されたグリップ(1)が２つあれば、犬が素早くかぶりつくのに十分であり、ボールの可動性はほんのわずかしか阻害されない。
【００２４】
グリップの基部(1b)は、大型のボールの周囲に配置され開口を有する又は有していない包装材又は包装エレメント(2)に、あるいは、ボールの外側カバー(3)と内側ブラダ(5)との間に挿入された内部エレメント(4)に、あるいは、ボールの外側カバー(3)及び／又は内側ブラダ(5)に取り付けられるとよい。包装材又は包装エレメント(2)は、著しい引張力を受け、犬の牙歯で引き裂かれる虞があるので、強固でなければならない。これが、商店でボールを掛けるのに用いられている現在のネットを利用することができない理由であって、そのようなネットは非常に早く破れてしまう。また、そのようなネットはボールの球形の形状に完全には従わないし、ボールが回転したり弾んだりするのは困難である。包装材又は包装エレメント(2)は完全にあるいは部分的にボールを覆うので、ボールは、空気を抜くことによって、あるいは、包装材に備えられた開放機構を介して取り出されることが可能な包装材内に入れられる。包装材は、例えばボールの形状で、ファスナー式開放機構、紐で締める開口、バックルやボタンなどを有する開口を備えていてもよく、その表面には少なくとも１つのソーセージ型グリップ(1)が取り付けられる。包装材又は包装エレメント(2)は量を非常に少なくしておいて、ボールが濡れてもあまり重くならないようにするとよい。包装エレメント(2)を紐にしてもよい。この紐は、形状（円形や平坦）、天然材料（綿、皮革など）、合成材料（ナイロン（商標名）やケブラー（商標名）など）、撚り合わせられるかその他の方法で構成されるか、寸法（好ましくは断面が０．５ｍｍ２以上）、色などは様々であってよいが、特に、紐、何らかのナイロン（商標名）の釣糸、あるいはケブラー（商標名）のフィラメントであるとよい。例示として、直径３ｍｍの紐を、大型のボールの周囲で、互いに垂直な３つの平面をなすように３回巻き付け、結び目を作り、いずれかの交点をグリップ(1)に取り付けることも可能である。
【００２５】
ボールの外側カバー(3)と内部ブラダ(5)との間に挿入された内部エレメント(4)はストラップであるとよい。例示として、非常に薄くて幅の狭い（幅２０ｍｍ）のストラップが大型ボール内に案内され、内部ブラダ(5)の周囲に巻き付けられ、ストラップの２つの端部は共に、ボールの外側カバー(3)の１つの同じ開口部から再度現出し、その一方、２倍の厚みを有する方のストラップは、先の開口部と対向する他方の開口部から現出する。
【００２６】
グリップの基部(1)は、ボールの外側カバー(3)に直接に接続されてよい。カバーの材料（皮革、プラスチックなど）、寸法（厚さ及び直径）、色などは特に限定されない。例示として、２つのグリップ(1)は、ボールの皮革製外側カバー(3)に縫い付けられていてもよい。
【００２７】
グリップ(1)は、接続手段の拡張部分であるか、あるいは該接続手段に取り付けられている。前者の場合には、グリップ(1)はボールの外側カバー(3)と一体成形される。グリップはまた、ボールの外側カバー(3)と内側ブラダ(5)との間に挿入された内部エレメント(4)の、ボールを囲む紐の連続部分であってもよい。例示として、２つの長い紐が第１グリップ(1)を形成すべく一体に撚り合わされる。紐は次いで、強固なネット(2)を形成すべくボールに巻き付けられる。最後に、紐は第２グリップ(1)を形成すべく再度一体に撚り合される。後者の場合には、グリップの基部(1b)は、包装材又は包装エレメント(2)に、あるいはボールの外側カバー(3)と内側ブラダ(5)との間に挿入された内部エレメント(4)に、結び付け、縫い付け、接着などによって接続されるとよい。グリップの基部(1b)は、ボールの外側カバー(3)に、ネジ止め、挿し込みなどによって固定される。例示として、グリップ(1)は、ボールの外側カバーから現出するヘッドの幅が広いプラスチックねじにネジ止めされてもよい。例示として、平坦なヘッドが外側カバーと包装エレメント(2)との間に挿入されたねじが、包装エレメント(2)を通過し、グリップの基部(1)に固定される。例示として、２つの金属ワイヤがボールの周囲に配置されたネットの２つのメッシュの交点で交差して、プラスチックソーセージに固定される前に、この交点において再度現出していてもよい。この例において、グリップの基部(1b)は包装エレメント(2)の一部分の周囲に配置されており、グリップの基部(1b)が包装エレメント(2)を通過する前出の例とは異なる。グリップの基部(1b)がボールの外側カバー(3)領域に取り付けられている場合、外部応力によってグリップが傾くと、グリップの基部(1b)は、傾き方向側の側面に追加的な圧力を及ぼし、反対側の側面における圧力は減じられる。ボールの内部気圧は上記変形を防げ、外部応力がなくなるとすぐに、グリップの基部(1b)の軸の位置を、ボールの中央部に対して放射状の軸に沿う元の位置に戻す。
【００２８】
この器具によって、犬はボールをパンクさせることなく取ってくることが可能となり、犬によってはボールをいずれかのグリップで引っ張って一緒に遊ぶことが可能となる。
【００２９】
本発明は、犬用の物品の製造者にとっては興味深いものであろう。
【図面の簡単な説明】
【図１】  ２つの対向するグリップ(1)が取り付けられた強固なネット(2)に入れられた大型のボールを示しており、グリップの一方を犬が口でくわえている。
【図２】  大型のボールの中央縦断面図を示しており、その細長い２つのグリップ(1)は、ボールの外側カバー(3)の延長部分であって、この延長部分とグリップとは一体成形されている。この図はまた、グリップ(1)を放射状の平衡位置に常に戻す、グリップの基部(1b)と隣接するボール領域との弾性的な接合を概略的に示す。
【図３】  大型のボールの外側カバー(3)の中央縦断面図を示しており、このカバーの内部において、ストラップ(4)はこのボールの内側ブラダ(5)の周囲に巻き付けられている。このストラップ(4)によって、ソーセージ型の２つのグリップは、ボールの外側カバー(3)に形成された対向する２つの開口部を介して固定される。
【図１】
0003916399.tif 000002
【図２】
0003916399.tif 000003
【図３】
0003916399.tif 000004